(57)【要約】【課題】弾性部品により発声体に対する圧力調整を行い、セラミック発声体の等位相運動に対する抑制を達成し、これによりセラミックスピーカーの位相衝突を減らし、音質の歪みを回避でき、オリジナル音質の再現効果を高めることができる圧電セラミックスピーカーの逆位相抑制構造を提供する。【解決手段】圧電セラミックスピーカーの逆位相抑制構造は、定位枠１、発声体２、及び２個或いは２個以上の弾性部品３を備え、発声体２は複数層のセラミック材料を重ねて構成するセラミック片で、弾性部品３は定位枠１内縁と発声体２との間に嵌めて設置し、弾性部品３により、発声体２に対する圧力を構成し、発声体２の等位相運動抑制を達成し、発声体２の位相衝突を減少させ、音質の歪みを回避し、セラミックスピーカーAのオリジナル音声再現効果を高めることができる。【選択図】図１
0003179386.tif 000002
【実用新案登録請求の範囲】
【請求項１】
圧電セラミックスピーカーの逆位相抑制構造は、定位枠を備え、
前記定位枠の内縁周囲には、発声体を設置し、前記定位枠と前記発声体との間には、弾性部品を設置し、
前記弾性部品により、前記発声体に対する圧力を構成し、
これにより、前記発声体の等位相運動抑制を達成し、セラミックスピーカーの位相衝突を減少させ、音質の歪みを回避し、セラミックスピーカーのオリジナル音声再現効果を高めることができることを特徴とする圧電セラミックスピーカーの逆位相抑制構造。
【請求項２】
前記発声体は、複数層のセラミック材料を重ねて構成するセラミック片であることを特徴とする請求項１に記載の圧電セラミックスピーカーの逆位相抑制構造。
【請求項３】
前記発声体は、セラミック片、及びセラミック片に結合する響板を含むことを特徴とする請求項２に記載の圧電セラミックスピーカーの逆位相抑制構造。
【請求項４】
前記弾性部品は、シリコンであることを特徴とする請求項１に記載の圧電セラミックスピーカーの逆位相抑制構造。
【請求項５】
前記弾性部品は、スポンジであることを特徴とする請求項１に記載の圧電セラミックスピーカーの逆位相抑制構造。
【請求項６】
前記弾性部品は、圧縮バネであることを特徴とする請求項１に記載の圧電セラミックスピーカーの逆位相抑制構造。
【請求項７】
前記弾性部品は、プルバネであることを特徴とする請求項１に記載の圧電セラミックスピーカーの逆位相抑制構造。
【請求項８】
前記定位枠の前、後位置において、前記弾性部品の中央位置に対応し、ネジ孔をそれぞれ設置し、これにより旋回部品を、前記ネジ孔に螺合し、
前記旋回部品底縁と前記発声体との間には、弾性部品を嵌めて設置し、これにより前記旋回部品は前記ネジ孔に沿って上、下に移動するため、前記弾性部品は、前記発声体を圧迫し、或いは緩め、こうして前記発声体に対する圧力調整を構成することを特徴とする請求項１に記載の圧電セラミックスピーカーの逆位相抑制構造。
【請求項９】
前記旋回部品は、ボルトであることを特徴とする請求項８に記載の圧電セラミックスピーカーの逆位相抑制構造。
【考案の詳細な説明】
【技術分野】
【０００１】
本考案は圧電セラミックスピーカーの逆位相抑制構造に関し、特に弾性部品により発声体に対する圧力調整を行い、発声体の等位相運動に対する抑制を達成し、これによりセラミックスピーカーの位相衝突を減らし、音質の歪みを回避でき、オリジナル音質の再現効果を高めることができる圧電セラミックスピーカーの逆位相抑制構造に関する。
【背景技術】
【０００２】  テクノロジーの急速な進歩に従い、（公序良俗違反につき、不掲載）、（公序良俗違反につき、不掲載）、或いは携帯電話端末、ノート型コンピューターなど３Ｃ電子製品は、幅広く使用されている。これに伴い、上記した各製品が使用する内蔵型のスピーカー、音声回路も、よりコンパクト化している。【０００３】
電子製品では、スピーカー及び音声回路の設置に必要な空間を考慮する必要がある。そのため、現在は、薄型のセラミックスピーカーが応用されている。しかし、セラミックスピーカーは、作動時に、往復衝撃を生じるため、等位相運動を発生し、位相衝突を形成する。これにより、セラミックスピーカーの音質は歪みを生じてしまう。
【考案の概要】
【考案が解決しようとする課題】
【０００４】
本考案の目的は、弾性部品により発声体に対する圧力調整を行い、セラミック発声体の等位相運動に対する抑制を達成し、これによりセラミックスピーカーの位相衝突を減らし、音質の歪みを回避でき、オリジナル音質の再現効果を高めることができる圧電セラミックスピーカーの逆位相抑制構造を提供することである。
【課題を解決するための手段】
【０００５】
上述の目的を達成するため、本考案は下記の圧電セラミックスピーカーの逆位相抑制構造を提供する。
圧電セラミックスピーカーの逆位相抑制構造は、定位枠、発声体、及び２個或いは２個以上の弾性部品を備え、該発声体は、複数層のセラミック材料を重ねて構成するセラミック片で、該各弾性部品は、該定位枠の内縁と該発声体との間に嵌めて設置し、該弾性部品により、該発声体に対する圧力を構成し、これにより、該発声体の等位相運動抑制を達成し、発声体の位相衝突を減少させ、音質の歪みを回避し、発声体のオリジナル音声再現効果を高めることができる。
該定位枠と該発声体との間に嵌めて設置する弾性部品は、シリコン、スポンジ、圧縮バネである。
該定位枠中央位置には、ネジ孔を設置し、旋回部品を、該ネジ孔に螺合し、該旋回部品底縁と該発声体との間には、弾性部品を嵌めて設置する。これにより、該旋回部品は該ネジ孔に沿って上、下に移動するため、該発声体に対する圧力調整を構成する。
【考案の効果】
【０００６】
本考案の圧電セラミックスピーカーの逆位相抑制構造は、定位枠及び発声体により、定位枠と発声体間に設置する弾性部品に対応し、圧電セラミックスピーカーの逆位相抑制構造を構成し、弾性部品が発声体に対して構成する圧力により、発声体の等位相運動に対する抑制を達成し、これによりセラミックスピーカーの位相衝突を減らし、音質の歪みを回避でき、オリジナル音質の再現効果を高めることができる。
【図面の簡単な説明】
【０００７】
【図１】本考案の立体分解図である。
【図２】本考案の断面図である。
【図３】本考案弾性部品第二実施例の断面図である。
【図４】本考案において旋回部品を使用する様子を示す立体分解図である。
【図５】本考案において旋回部品を使用する様子を示す断面図である。
【図６】本考案弾性部品第三実施例の断面図である。
【考案を実施するための形態】
【０００８】
本考案の技術内容、構造特徴、達成する目的を詳細に説明するため、以下に実施例を挙げ並びに図面を組み合わせて説明する。
【０００９】
本考案の立体分解図、及び断面図である図１、２に示すように、本考案は、定位枠１、発声体２、及び２個或いは２個以上の弾性部品３を備える。本実施例中では、定位枠１の内縁周囲には、ステップ部１１を設置する。発声体２は、複数層のセラミック材料を重ねて構成するセラミック片、或いはセラミック片を結合する響板である。発声体２には、音声信号を導入する導線２１を溶接し、定位枠１のステップ部１１に嵌めて設置し、こうしてセラミックスピーカーAを構成する。
弾性部品３は、定位枠１の内縁に、発声体２との間に嵌めて設置する。本実施例中では、弾性部品３は、シリコンである。
【００１０】
上記した構成部品の組合せにより、圧電セラミックスピーカーの逆位相抑制構造を構成する。弾性部品３により、発声体２を圧迫し、発声体２に対する圧力を構成する。これにより、発声体２の等位相運動抑制を達成し、発声体２の位相衝突を減少させ、音質の歪みを回避し、セラミックスピーカーAのオリジナル音声再現効果を高めることができる。
【００１１】
本考案弾性部品３の第二実施例断面図である図３に示すように、本考案の弾性部品３は、圧縮バネである。弾性部品３は、定位枠１の内縁と発声体２との間に嵌めて設置し、発声体２に対する圧力を構成する。こうして、発声体２の等位相運動抑制を達成し、発声体２の位相衝突を減らし、音質の歪みを回避することができ、これによりセラミックスピーカーAのオリジナル音声再現効果を高めることができる。弾性部品３は、スポンジ、或いはプルバネなどの部品とすることもできる。
【００１２】
本考案において旋回部品を使用する様子を示す立体分解図、及び断面図である図４、５に示すように、本考案は、定位枠１の前、後位置において、弾性部品３の中央位置に対応し、ネジ孔１２をそれぞれ設置する。これにより、旋回部品１３を、ネジ孔１２に螺合する。旋回部品１３は、ボルトである。
旋回部品１３を、定位枠１のネジ孔１２に螺合後、その底縁と発声体２との間に、弾性部品３を嵌めて設置する。本実施例中では、弾性部品３は、シリコンである。
【００１３】
上記した構成部品の組合せにより、圧電セラミックスピーカーの逆位相抑制構造を構成する。旋回部品１３はネジ孔１２に沿って上、下に移動するため、弾性部品３は、発声体２を圧迫し、或いは緩める。こうして、発声体２に対する圧力調整を構成する。これにより、発声体２の等位相運動抑制を達成し、発声体２の位相衝突を減少させ、音質の歪みを回避し、セラミックスピーカーAのオリジナル音声再現効果を高めることができる。
【００１４】
実際の使用時には、旋回部品１３の旋回により、それは上、下に移動し、弾性部品３に対する圧迫、或いは緩めを構成する。それが調整する圧力の強弱は、発声体２の特性誤差に基づく。旋回部品１３が下方へと移動させられると、弾性部品３を圧迫し、比較的大きい圧迫制御力により、発声体２を支える。
反対に、旋回部品１３が上方へと移動させられると、弾性部品３を緩め、比較的小さい圧迫制御力により、発声体２を支える。こうして、発声体２に対する圧力調整を構成し、発声体２の等位相運動抑制を達成し、発声体２の位相衝突を減少させ、音質の歪みを回避し、セラミックスピーカーAのオリジナル音声再現効果を高めることができる。
【００１５】
本考案弾性部品３の第三実施例の断面図である図６に示すように、本考案の弾性部品３は、上記した単一の部品以外に、複数を設置することができる。図に示すように、発声体２と定位枠１との間には、実際の必要に応じて、前、後位置に、４個の弾性部品３をそれぞれ嵌めて設置する。こうして、発声体２に対する違った形態の圧力を構成する。
【００１６】  本考案の応用時には、発声体２を設置する定位枠１を、適当な大きさのボックス体に設置し、電子製品に連接するスピーカーを構成する。使用時にはこれを、（公序良俗違反につき、不掲載）或いは携帯電話端末、ノート型コンピューターなど電子製品に挿入して接続し、発声体２により、拡大された音声信号を受け取り、音響を導き出す。  しかも、弾性部品３の発声体２に対する圧力調整により、発声体２の等位相運動抑制を達成し、発声体２の位相衝突を減少させ、音質の歪みを回避し、セラミックスピーカーAのオリジナル音声再現効果を高めることができる。
【符号の説明】
【００１７】
１  定位枠
１１  ステップ部
１２  ネジ孔
１３  旋回部品
２  発声体
２１  導線
３  弾性部品
A  セラミックスピーカー
【図１】
0003179386.tif 000003
【図２】
0003179386.tif 000004
【図３】
0003179386.tif 000005
【図４】
0003179386.tif 000006
【図５】
0003179386.tif 000007
【図６】
0003179386.tif 000008
【手続補正書】
【提出日】平成24年9月5日(2012.9.5)
【手続補正１】
【補正対象書類名】明細書
【補正対象項目名】０００２
【補正方法】変更
【補正の内容】
【０００２】
テクノロジーの急速な進歩に従い、タブレット型コンピュータ、スマートフォン、或いは携帯電話端末、ノート型コンピューターなど３Ｃ電子製品は、幅広く使用されている。これに伴い、上記した各製品が使用する内蔵型のスピーカー、音声回路も、よりコンパクト化している。
【手続補正２】
【補正対象書類名】明細書
【補正対象項目名】００１６
【補正方法】変更
【補正の内容】
【００１６】
本考案の応用時には、発声体２を設置する定位枠１を、適当な大きさのボックス体に設置し、電子製品に連接するスピーカーを構成する。使用時にはこれを、タブレット型コンピュータ、スマートフォン、或いは携帯電話端末、ノート型コンピューターなど電子製品に挿入して接続し、発声体２により、拡大された音声信号を受け取り、音響を導き出す。
しかも、弾性部品３の発声体２に対する圧力調整により、発声体２の等位相運動抑制を達成し、発声体２の位相衝突を減少させ、音質の歪みを回避し、セラミックスピーカーAのオリジナル音声再現効果を高めることができる。